(57)【要約】【課題】駆動電動機の作動時にその出力軸の回転により電動機本体の外周を包囲する冷却空気流を生じさせることにより、駆動電動機を効率的に強制空冷することができる穀類調製機における駆動電動機の冷却構造を提供する。【解決手段】駆動電動機１の出力軸３と従動軸７とをベルト伝動機構１０を介して連動させる。駆動電動機１の電動機本体２から突出する出力軸３の基部に、遠心ファン４を取り付ける。駆動電動機１の出力軸３に取り付ける遠心ファン４は、電動機本体２の一部外周を取り巻く多数の起風翼５を有する。駆動電動機１およびそれと従動軸７とのベルト伝動機構１０は、外装体１３に内装されている。外装体１３の駆動電動機１に対応する壁面１４には排気口が形成されている。外装体１３内には遠心ファン４による冷却空気流を排気口へ誘導するガイド板を備えている。【選択図】　　　　図１
2004140932.tif 000002
【特許請求の範囲】
【請求項１】
駆動電動機の出力軸と従動軸とを伝動機構を介して連動させた穀類調製機における駆動電動機の冷却構造であって、駆動電動機の電動機本体から突出する出力軸の基部に遠心ファンを取り付け、駆動電動機の作動時にその出力軸の回転により電動機本体の外周を包囲する冷却空気流を生じさせることを特徴とする穀類調製機における駆動電動機の冷却構造。
【請求項２】
駆動電動機の出力軸に取り付ける遠心ファンは、電動機本体の少なくとも一部外周を取り巻く形状をなしていることを特徴とする請求項１記載の穀類調製機における駆動電動機の冷却構造。
【請求項３】
駆動電動機の出力軸には、遠心ファンより先端部に駆動プーリを取り付け、この駆動プーリと従動軸の従動プーリとに伝動ベルトを掛けて、駆動電動機の出力軸と従動軸とを連動させるベルト伝動機構を構成したことを特徴とする請求項１または２記載の穀類調製機における駆動電動機の冷却構造。
【請求項４】
駆動電動機およびそれと従動軸との伝動機構は、駆動電動機に対応する壁面に排気口を有する外装体に内装されており、外装体内には遠心ファンによる冷却空気流が排気口へ誘導するガイド板を備えていることを特徴とする請求項１ないし３のいずれかに記載の穀類調製機における駆動電動機の冷却構造。
【発明の詳細な説明】
【０００１】
【発明の属する技術分野】
本発明は、穀類昇降機、穀類選別機、石抜き機などの各種の穀類調製機において、搭載されている駆動電動機をそれ自体の回転動力により強制空冷する冷却機能を備えた穀類調製機における駆動電動機の冷却構造に関するものである。
【０００２】
【従来の技術】
穀類調製機において、駆動電動機を搭載し、従動軸との間をベルト伝動機構により連動させた構成は、例えば、石抜き機に併設した揚穀機（昇降機）においてその駆動構造として、特開平８−１７３９０７号公報または特開平９−２９９８８４号公報に記載されている。
【０００３】
【発明が解決しようとする課題】
上記特開平８−１７３９０７号公報または特開平９−２９９８８４号公報に示すように、各種穀類調製機においては、その駆動装置として駆動電動機とベルト伝動機構を外装体に内装しているが、その駆動電動機の温度上昇を抑制するうえから、駆動電動機に冷却風を浴びせて強制空冷をする手段を備えることが望ましい。
【０００４】
そこで、本発明の目的は、各種穀類調製機における駆動電動機を強制空冷するうえで、別途煩雑な構成を要することなく、駆動電動機の出力軸に、遠心ファンを取り付けるだけで、駆動電動機の作動時にその出力軸の回転により電動機本体の外周を包囲する冷却空気流を生じさせることにより、駆動電動機を効率的に強制空冷することができる穀類調製機における駆動電動機の冷却構造を提供するものである。
【０００５】
【課題を解決するための手段】
上記目的を達成するための本発明の請求項１に係る穀類調製機における駆動電動機の冷却構造は、駆動電動機の出力軸と従動軸とを伝動機構を介して連動させた穀類調製機における駆動電動機の冷却構造であって、駆動電動機の電動機本体から突出する出力軸の基部に遠心ファンを取り付け、駆動電動機の作動時にその出力軸の回転により電動機本体の外周を包囲する冷却空気流を生じさせることを特徴とするものである。
【０００６】
また、請求項２に係る穀類調製機における駆動電動機の冷却構造は、請求項１記載の構成において、駆動電動機の出力軸に取り付ける遠心ファンは、電動機本体の少なくとも一部外周を取り巻く形状をなしていることを特徴とするものである。
【０００７】
請求項３に係る穀類調製機における駆動電動機の冷却構造は、請求項１または２記載の構成において、駆動電動機の出力軸には、遠心ファンより先端部に駆動プーリを取り付け、この駆動プーリと従動軸の従動プーリとに伝動ベルトを掛けて、駆動電動機の出力軸と従動軸とを連動させるベルト伝動機構を構成したことを特徴とするものである。
【０００８】
請求項４に係る穀類調製機における駆動電動機の冷却構造は、請求項１ないし３のいずれかに記載の構成において、駆動電動機およびそれと従動軸との伝動機構は、駆動電動機に対応する壁面に排気口を有する外装体に内装されており、外装体内には遠心ファンによる冷却空気流が排気口へ誘導するガイド板を備えていることを特徴とするものである。
【０００９】
【発明の実施の形態】
図１は本発明の一実施の形態に係る穀類調製機における駆動電動機の冷却構造の側面図、図２は同上背面図、図３は同上斜視図、図４は本発明に係る駆動電動機の冷却構造を、石抜き機に併設した穀類昇降機に備えた例を示す断面図である。
【００１０】
図１ないし図３において、１は駆動電動機、２は電動機本体、３は出力軸であり、出力軸３の基部には、遠心ファン４が取り付けられている。この遠心ファン４は、出力軸３の回転により電動機本体２の外周を包囲する冷却空気流を生じさせるものであって、電動機本体２の少なくとも一部外周を取り巻く多数の起風翼５を有している。
【００１１】
駆動電動機１の出力軸３には、その遠心ファン４より先端部に駆動プーリ６が取り付けられており、この駆動プーリ６と従動軸７の従動プーリ８とには、伝動ベルト９を掛けて、駆動電動機１の出力軸３と従動軸７とを連動させるベルト伝動機構１０を構成している。従動軸７は、例えば図４に示す穀類昇降機１１の下部駆動軸１２など、各種穀類調製機における被駆動軸である。
【００１２】
駆動電動機１およびそれと従動軸７とのベルト伝動機構１０は、穀類調製機の外装体１３に内装されており、外装体１３の駆動電動機１に対応する壁面１４には排気口１５が形成されていて、外装体１３内には、上記排気口１５の下方部に、遠心ファン４による冷却空気流が排気口へ誘導するガイド板１６を備えている。このガイド板１６は、遠心ファン４により電動機本体２の外周を包み込むように送風される冷却風を効率よく排気口１５に向けて誘導するように、排気口１５の形成面に対して斜め上向きの態様をなしている。
【００１３】
なお、図４において、１７は上部従動軸、１８は昇降ベルト、１９はバケットである。また、２０は石抜き機、２１は穀類投入ホッパ、２２は石抜き選別盤である。
【００１４】
本発明に係る穀類調製機における駆動電動機の冷却構造は、図４に示す穀類昇降機１１のほか、図４に示す石抜き機２０、穀類選別機、籾摺機、脱穀機、穀類搬送機、穀類乾燥機など、各種穀類調製機に装備することができるものである。
【００１５】
本発明に係る穀類調製機における駆動電動機の冷却構造によれば、駆動電動機１をそれ自体の回転動力により効率よく強制空冷して、その温度上昇を十分抑制することができるので、機械装置の負荷容量に比して比較的容量の小さい小型の駆動電動機を用いることができる。特に、遠心ファン４が駆動電動機１の電動機本体２の外周を取り巻くように起風翼５を有するものでは、その起風翼５の周速度が大きいので、従来のプレートファンによる空冷構造より空冷効率が良好である。さらに、電動機本体２の外周を包み込むように冷却風が流通するので、電動機本体２内部に発生する熱を吸い出す効果があり、強制空冷の効率がいっそう向上する。
【００１６】
また、本発明に係る穀類調製機における駆動電動機の冷却構造によれば、駆動電動機１の出力軸３にその強制空冷のための遠心ファン４を取り付けているので、遠心ファン４を備えるための余分なスペースを要せず、機械装置の小型化を図ることができる。
【００１７】
【発明の効果】
本発明によれば、各種穀類調製機における駆動電動機を強制空冷するうえで、別途煩雑な構成を要することなく、駆動電動機の出力軸に、遠心ファンを取り付けるだけで、駆動電動機の作動時にその出力軸の回転により電動機本体の外周を包囲する冷却空気流を生じさせることにより、駆動電動機を効率的に強制空冷することができる穀類調製機における駆動電動機の冷却構造が得られる。
【図面の簡単な説明】
【図１】本発明の一実施の形態に係る穀類調製機における駆動電動機の冷却構造の側面図である。
【図２】同上背面図である。
【図３】同上斜視図である。
【図４】本発明に係る駆動電動機の冷却構造を、石抜き機に併設した穀類昇降機に備えた例を示す断面図である。
【符号の説明】
１　駆動電動機
２　電動機本体
３　出力軸
４　遠心ファン
５　起風翼
６　駆動プーリ
７　従動軸
８　従動プーリ
９　伝動ベルト
１０　ベルト伝動機構
１１　穀類昇降機
１２　下部駆動軸
１３　外装体
１４　壁面
１５　排気口
１６　ガイド板
１７　上部従動軸
１８　昇降ベルト
１９　バケット
２０　石抜き機
２１　穀類投入ホッパ
２２　選別盤
【図１】
2004140932.tif 000003
【図２】
2004140932.tif 000004
【図３】
2004140932.tif 000005
【図４】
2004140932.tif 000006